【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
複数の機能を提供する画像形成装置であって、
制御装置と接続されているか否かを判断する判断手段と、
前記判断手段により、前記制御装置と接続されていると判断された場合、前記複数の機能のうちの一部の機能に関する問い合わせに対しては応答し、前記複数の機能のうちの他の一部の機能に関する問い合わせに対しては応答しないように制御し、前記判断手段により、前記制御装置と接続されていると判断されなかった場合、前記一部の機能に関する問い合わせと、前記他の一部の機能に関する問い合わせに対して応答するよう制御する制御手段と、
を有することを特徴とする画像形成装置。
【請求項２】
前記複数の機能を示す情報を記憶する記憶手段と、
前記判断手段により、前記制御装置と接続されていると判断された場合、当該制御装置が提供できる機能を示す情報を取得する取得手段と、
前記記憶手段によって記憶された情報と、前記取得手段で取得された情報とを比較する比較手段と、
前記比較手段による比較結果に従って、問い合わせに対して応答する前記一部の機能と、問い合わせに対して応答しない前記他の一部の機能とを決定する決定手段と、
を更に有することを特徴とする請求項１に記載の画像形成装置。
【請求項３】
前記記憶手段は、前記複数の機能それぞれを優先順位と関連付けて記憶し、
前記決定手段は、前記記憶手段によって記憶された優先順位に従って、問い合わせに対して応答する前記一部の機能と、問い合わせに対して応答しない前記他の一部の機能とを決定することを特徴とする請求項２に記載の画像形成装置。
【請求項４】
前記記憶手段によって記憶された情報を前記制御装置に送信する送信手段を更に有することを特徴とする請求項１乃至３の何れか一項に記載の画像形成装置。
【請求項５】
前記画像形成装置は、ネットワークに接続され、尚且つ、当該ネットワークとは異なる専用線によって前記制御装置と接続されることを特徴とする請求項１乃至４の何れか一項に記載の画像形成装置。
【請求項６】
前記決定手段は、前記画像形成装置と前記制御装置のうち前記画像形成装置のみが提供する機能を、問い合わせに対して応答する前記一部の機能とし、前記制御装置のみが提供する機能を、問い合わせに対して応答しない前記他の一部の機能とすることを特徴とする請求項２又は３に記載の画像形成装置。
【請求項７】
前記複数の機能は、プリント機能及びスキャン機能を含むことを特徴とする請求項１乃至６の何れか一項に記載の画像形成装置。
【請求項８】
判断手段及び制御手段を有し、複数の機能を提供する画像形成装置の制御方法であって、
前記判断手段が、制御装置と接続されているか否かを判断する判断工程と、
前記判断工程により、前記制御装置と接続されていると判断された場合、前記複数の機能のうちの一部の機能に関する問い合わせに対しては応答し、前記複数の機能のうちの他の一部の機能に関する問い合わせに対しては応答しないように制御し、前記判断工程により、前記制御装置と接続されていると判断されなかった場合、前記一部の機能に関する問い合わせと、前記他の一部の機能に関する問い合わせに対して応答するように、前記制御手段が制御する制御工程と、
を有することを特徴とする画像形成装置の制御方法。
【請求項９】
判断手段及び制御手段を有し、複数の機能を提供する画像形成装置の制御方法を実現するための、コンピュータで読み取り可能なプログラムを記憶した記憶媒体であって、
前記プログラムは、
前記判断手段が、制御装置と接続されているか否かを判断する判断工程と、
前記判断工程により、前記制御装置と接続されていると判断された場合、前記複数の機能のうちの一部の機能に関する問い合わせに対しては応答し、前記複数の機能のうちの他の一部の機能に関する問い合わせに対しては応答しないように制御し、前記判断工程により、前記制御装置と接続されていると判断されなかった場合、前記一部の機能に関する問い合わせと、前記他の一部の機能に関する問い合わせに対して応答するように、前記制御手段が制御する制御工程と、
を有することを特徴とする記憶媒体。
【手続補正２】
【補正対象書類名】明細書
【補正対象項目名】発明の名称
【補正方法】変更
【補正の内容】
【発明の名称】画像形成装置及びその制御方法、並びに記憶媒体
【手続補正３】
【補正対象書類名】明細書
【補正対象項目名】０００１
【補正方法】変更
【補正の内容】
【０００１】
本発明は、複数の機能を提供する画像形成装置及びその制御方法、並びに前記制御方法を実現するためのプログラムを記憶した記憶媒体に関する。
【手続補正４】
【補正対象書類名】明細書
【補正対象項目名】００１５
【補正方法】変更
【補正の内容】
【００１５】
本発明は上記従来の問題点に鑑み、以下のような画像形成装置及びその制御方法、並びに記憶媒体を提供することを目的とする。
【手続補正５】
【補正対象書類名】明細書
【補正対象項目名】００１６
【補正方法】変更
【補正の内容】
【００１６】
即ち、同一のネットワーク上に存在する制御装置と画像形成装置の接続形態において、ユーザにとって使い易いシステム環境を実現することができる接続形態を提供する。そして、例えばＩＰｖ６やＩＰｓｅｃ等の技術にも柔軟に対応することができるようにする。
【手続補正６】
【補正対象書類名】明細書
【補正対象項目名】００１７
【補正方法】変更
【補正の内容】
【００１７】
上記課題を解決するために、本発明の画像形成装置は、複数の機能を提供する画像形成装置であって、制御装置と接続されているか否かを判断する判断手段と、前記判断手段により、前記制御装置と接続されていると判断された場合、前記複数の機能のうちの一部の機能に関する問い合わせに対しては応答し、前記複数の機能のうちの他の一部の機能に関する問い合わせに対しては応答しないように制御し、前記判断手段により、前記制御装置と接続されていると判断されなかった場合、前記一部の機能に関する問い合わせと、前記他の一部の機能に関する問い合わせに対して応答するよう制御する制御手段と、を有することを特徴とする。
本発明の画像形成装置の制御方法は、 判断手段及び制御手段を有し、複数の機能を提供する画像形成装置の制御方法であって、前記判断手段が、制御装置と接続されているか否かを判断する判断工程と、前記判断工程により、前記制御装置と接続されていると判断された場合、前記複数の機能のうちの一部の機能に関する問い合わせに対しては応答し、前記複数の機能のうちの他の一部の機能に関する問い合わせに対しては応答しないように制御し、前記判断工程により、前記制御装置と接続されていると判断されなかった場合、前記一部の機能に関する問い合わせと、前記他の一部の機能に関する問い合わせに対して応答するように、前記制御手段が制御する制御工程と、を有することを特徴とする。
本発明の記憶媒体は、判断手段及び制御手段を有し、複数の機能を提供する画像形成装置の制御方法を実現するための、コンピュータで読み取り可能なプログラムを記憶した記憶媒体であって、前記プログラムは、前記判断手段が、制御装置と接続されているか否かを判断する判断工程と、前記判断工程により、前記制御装置と接続されていると判断された場合、前記複数の機能のうちの一部の機能に関する問い合わせに対しては応答し、前記複数の機能のうちの他の一部の機能に関する問い合わせに対しては応答しないように制御し、前記判断工程により、前記制御装置と接続されていると判断されなかった場合、前記一部の機能に関する問い合わせと、前記他の一部の機能に関する問い合わせに対して応答するように、前記制御手段が制御する制御工程と、を有することを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
本発明によれば、制御装置と画像形成装置の接続形態において、ユーザにとって使い易いシステム環境を実現可能な接続形態を提供することができ、例えばＩＰｖ６やＩＰｓｅｃ等の技術にも柔軟に対応することができる。
【手続補正１３】
【補正対象書類名】明細書
【補正対象項目名】００２６
【補正方法】変更
【補正の内容】
【００２６】
この画像形成システムの接続形態は、ネットワーク２１２上に端末装置２１１と印刷制御装置２０１と画像形成装置２０７が接続され、さらに印刷制御装置２０１と画像形成装置２０７とが専用転送路２０６を介して接続されたものとなっている。
【手続補正１４】
【補正対象書類名】明細書
【補正対象項目名】００２７
【補正方法】変更
【補正の内容】
【００２７】
印刷制御装置２０１は、コネクタ２０２、２０３及び２０４を備えている。コネクタ２０２は、ネットワーク２１２との低位レイヤレベルの接続を司るＮＩＣ用のコネクタである。コネクタ２０３は、図１６に示したコネクタ５００３に相当するが、本実施の形態では使用されない。コネクタ２０４は、専用転送路２０６用のインターフェースとなる。
【手続補正１５】
【補正対象書類名】明細書
【補正対象項目名】００３３
【補正方法】変更
【補正の内容】
【００３３】
また、印刷制御装置２０１は、ＮＩＣ部１０４及びイメージインターフェースボード部１１１を備えている。ＮＩＣ部１０４は、低位レイヤレベルの接続を司る第２のネットワークインターフェースとして機能し、コネクタ２０３はこのインターフェースのためのコネクタである。また、エンコード部１０３から出力されたデータは、イメージインターフェースボード部１１１を介してコネクタ２０４へ出力される。
【手続補正１６】
【補正対象書類名】明細書
【補正対象項目名】００４６
【補正方法】変更
【補正の内容】
【００４６】
画像形成装置２０７から、端末装置２１１へリーダ部からスキャンした画像データを送信する場合、ネットワークインターフェース２０８よりデータパケットがネットワーク２１２に送出され、端末装置２１１にデータパケットが到達する。  
【手続補正１７】
【補正対象書類名】明細書
【補正対象項目名】００８６
【補正方法】変更
【補正の内容】
【００８６】
Ｓ１２０４にて印刷制御装置２０１と通信が成立した場合は、Ｓ１２０５へ遷移する。Ｓ１２０５での通信確認方法は、Ｓ１２０１で取得した画像形成装置２０７の情報により、通信方法を変更する。通信が確認できると、Ｓ１２０５に遷移し、画像形成装置２０７の機能をチェックする。画像形成装置２０７と印刷制御装置２０１がお互いのサービスとプライオリティを交換する。
【手続補正１８】
【補正対象書類名】明細書
【補正対象項目名】００９２
【補正方法】変更
【補正の内容】
【００９２】
図１０のＳ１２０７にて機能データベースを更新した後、Ｓ１２０８へ遷移し、印刷制御装置２０１を正常起動する。
【手続補正１９】
【補正対象書類名】図面
【補正対象項目名】図２
【補正方法】変更
【補正の内容】
【図２】
2009020810.tif 000001